(57)【要約】 【課題】電動ステープラにおいて、用紙枚数が少ない場合に起こりやすいステープルの倒回現象や脚の開きや重なりなどの綴り不良を防止する。 【解決手段】クリンチャホルダの上端のステープルの脚が挿入される開口部位に、上端面から内壁面へかけて下降するガイド斜面を形成して、ステープルの脚をクリンチャホルダ内へ案内するようにしたクリンチ装置において、ガイド斜面25の横幅をステープルの脚の進入を許容する幅に制限し、ガイド斜面より中央側に上端まで垂直な前面垂直面部26を設ける。クリンチャによりステープルの脚が内側へ折り曲げられる際に、脚の基部近傍はガイド斜面から出て、ガイド斜面よりも内側の前面垂直面部に移動することにより、前後移動を規制される。これにより、ステープルの前または後への回転や、姿勢の変位による脚の開きや重なりなどを防止できる。【選択図】図1
2006116638.tif 000002
【特許請求の範囲】
【請求項１】
門型ステープルの左右の脚を折り曲げる電動ステープラのクリンチ装置であって、左右対称に上下へ揺動する一対のクリンチャの前後両面をクリンチャホルダにて挟み、クリンチャホルダ内へ挿入されたステープルの脚を前記一対のクリンチャによって平坦に折り曲げる電動ステープラのクリンチ装置において、
クリンチャホルダの上端のステープルの脚が挿入される開口部位に、上端面から内壁面へかけて下降するガイド斜面を形成するとともに、ガイド斜面の横幅はステープルの脚の進入を許容する幅であり、ガイド斜面の左右は上端まで垂直な平面であることを特徴とする電動ステープラのクリンチ装置。
【発明の詳細な説明】
【技術分野】
【０００１】
この発明は、電動ステープラのクリンチ装置に関するものであり、特に、ステープルの綴じ形状の安定化を図った電動ステープラのクリンチ装置に関するものである。
【背景技術】
【０００２】
直線ステープルを並列接続したステープルシートを積層して装填する構成の電動ステープラは、ステープラ単体としてばかりではなく、複写機や印刷後処理装置などに内蔵されて広く使用されている。この種の電動ステープラには、ステープルの針脚を湾曲形状ではなく平坦に折り曲げる所謂フラットクリンチ型クリンチ装置を備えたものがある（例えば、特許文献１）。
【０００３】
図7は電動ステープラ1を示し、フレーム2内にステープルのフォーミング及び射出を行うドライバ機構3が装着されており、フレーム2の上部に取付けた昇降自在なクリンチャアーム4の先端部にフラットクリンチ型のクリンチ装置5が装着されている。ステープルカートリッジ6は上方からフレーム2上へ装填され、ステープルカートリッジ6内のステープルシートは、図示しない送り機構によって一枚ずつ前方のフォーミングプレート及びドライバ7の位置へ送られる。ステープルシートの先頭のステープルはフォーミングプレートによって門型に折り曲げ成形され、さらにドライバ7の直上位置へ送られる。ドライバ機構3とクリンチ装置5との間に紙が挿入されると、クリンチャアーム4が下降してドライバ機構3とクリンチ装置5とによって紙を挟み、ドライバ7を上昇駆動してステープルを紙に打ち込み、続いてクリンチ装置5が駆動されて、紙を貫通したステープルの両側の脚部を内側に折り曲げて紙が綴じられる。
【０００４】
図8は従来のクリンチ装置5の分解図である。8はクリンチャ、9はクリンチャホルダであり、二枚の同一のクリンチャ8を対称に向かい合わせて、二枚の同一のクリンチャホルダ9で二枚のクリンチャ8を挟んでクリンチャテーブル10へ組み付けられる。
【０００５】
クリンチャホルダ9のクリンチャ8を保持する部分は、クリンチャ8の厚さの分だけ板厚が薄くなっていて、クリンチャ8を組付けたときにクリンチャホルダ9の表面とクリンチャ8の表面とが同一平面をなし、一対のクリンチャ8はその先端が交差して回動するように、前後にずれて位置する。
【０００６】
クリンチャホルダ9の上面の内側縁部（クリンチャ8を挟む側の面）には、ステープルの脚を二枚のクリンチャホルダ9の間へ案内するためのガイド斜面11が形成されており、ドライバ7によってクリンチ装置5へ向けて射出されたステープルSの左右の脚は、図9に示すように、それぞれガイド斜面11に沿ってクリンチャ8上へ挿入され、ステープルSの左右の脚bは、前後に変位した姿勢となる。そして、二枚のクリンチャ9が上昇駆動されて、ステープルSの左右の脚bを内側へ折り曲げる。このようにして、クリンチされたステープルSの左右の脚が重なり合うことを防止している。
【０００７】
ところで、ステープルSの脚が二枚のクリンチャホルダ9の間へ挿入された当初は、ステープルSの脚は二枚のクリンチャホルダ9によって挟まれた状態となっているが、図10に示すように、ステープルSの脚bの折り曲げが進行して、前述したガイド斜面11の位置まで脚bが上昇したときには、ステープルS全体がガイド斜面11によって構成されるV溝型の空間に入って前後方向の位置を規制されない状態となる。ここで、ステープルSが打ち込まれた用紙の枚数が多い場合は、用紙自体によってステープルSの姿勢が維持されるので特に問題は生じないが、紙の枚数が数枚程度と少ない場合は、紙による姿勢維持は期待できず、ステープルSが前又は後ろに倒れたり、Z形に脚bが開いた状態で綴じられたり、ステープルAのクラウン部aがねじれてステープルSの脚bが重なった状態で綴じられたりするという問題がある。
【特許文献１】特開2003-211408号公報
【発明の開示】
【発明が解決しようとする課題】
【０００８】
従来の電動ステープラのクリンチ装置においては、ステープルの脚が完全に折り曲げられるまでステープルの姿勢を保持できないので、綴じるべき紙の枚数が少ない場合には、ステープルの倒れや、脚の開きや重なりなどの綴り不良が発生することがある。
【０００９】
そこで、紙の枚数が少ない場合であっても、ステープルの倒れや、脚の開きなどの綴り不良が発生しないようにするために解決すべき技術的課題が生じてくるのであり、本発明は上記課題を解決することを目的とする。
【課題を解決するための手段】
【００１０】
この発明は、上記目的を達成するために提案するものであり、門型ステープルの左右の脚を折り曲げる電動ステープラのクリンチ装置であって、左右対称に上下へ揺動する一対のクリンチャの前後両面をクリンチャホルダにて挟み、クリンチャホルダ内へ挿入されたステープルの脚を前記一対のクリンチャによって平坦に折り曲げる電動ステープラのクリンチ装置において、クリンチャホルダの上端のステープルの脚が挿入される開口部位に、上端面から内壁面へかけて下降するガイド斜面を形成するとともに、ガイド斜面の横幅はステープルの脚の進入を許容する幅であり、ガイド斜面の左右は上端まで垂直な平面であることを特徴とする電動ステープラのクリンチ装置を提供するものである。
【発明の効果】
【００１１】
本発明の電動ステープラのクリンチ装置は、ステープルの脚をクリンチャホルダ内へ誘導するために、クリンチャホルダの上端開口部に設けられるガイド斜面の左右を垂直平面としたので、脚の折り曲げ時にステープル全体の直立姿勢を維持でき、綴じる紙の枚数が少ない場合であっても、ステープル全体が前又は後ろに倒れたり、脚が開いた状態、或いは重なった状態で綴じられたりすることがなく、安定性が向上する。
【発明を実施するための最良の形態】
【００１２】
左右対称に上下へ揺動する一対のクリンチャの前後両面をクリンチャホルダにて挟み、クリンチャホルダ内へ挿入されたステープルの脚を前記一対のクリンチャによって平坦に折り曲げる電動ステープラのクリンチ装置において、クリンチャホルダの上端のステープルの脚が挿入される開口部位に、上端面から内壁面へかけて下降するガイド斜面を形成する。ガイド斜面の横幅はステープルの脚の進入を許容する幅とし、ガイド斜面の左右は上端まで垂直な平面とすることにより、脚の折り曲げ時にステープル全体が前又は後ろに倒れたり、脚が開いた状態、或いは重なった状態で綴じられたりすることを防止する目的を達成した。
【実施例１】
【００１３】
図1及び図2にクリンチ装置21を示す。クリンチ装置21の基本構成は、図8の従来例と同一であり、図1に示すように、二枚の同一のクリンチャ22を対称に向かい合わせ、二枚の同一のクリンチャホルダ23で二枚のクリンチャ22を挟んでクリンチャテーブル24へ組み付ける。図2は組付けた状態の図である。
【００１４】
図1に示すように、クリンチャホルダ23のクリンチャ22を保持する部分は、クリンチャ22の厚さの分だけ板厚が薄くなっていて、クリンチャ22を組付けたときにクリンチャホルダ23の表面とクリンチャ22の表面とが同一平面をなし、一対のクリンチャ22はその先端が交差して回動するように、前後にずれて位置することは従来例と同様である。
【００１５】
クリンチャホルダ23の上面の内側縁部（クリンチャ22を挟む側の面）には、ステープルの脚を二枚のクリンチャホルダ23の間へ案内するためのガイド斜面25が形成されている。図3(a) に示すように、ガイド斜面25の幅はステープルの脚が通るのに十分な幅であり、且つその左右は側壁に囲まれていて斜面の幅が限定されている。比較のために図3（b）に従来型のガイド斜面11を示す。即ち、従来のガイド斜面11は、内側（クリンチャ装置の中心側）に側壁がなく、内側は開放された形状であるが、本発明においては、ガイド斜面25の左右に側壁があって、ステープルの脚を内側へ折り曲げたときに、脚の折り曲げ部位近傍はガイド斜面25より装置中心側の前面垂直面部26に接するので、前後へ動くことを規制される。
【００１６】
図4は、クリンチ装置21へステープルSの脚が進入した状態を上方から見ており、ステープルSの脚bは前後へずれた状態となり、ステープルSのクラウン部aの左右両端近傍は、ガイド斜面25より内側の前面垂直面部26に接している。
【００１７】
図5(a) と図5(b) は、二枚のクリンチャ22の動きを示すために、二枚のクリンチャホルダ23の一方を取外した状態の図であり、図5(b) のように二枚のクリンチャ22の位置は前後にずれていて、先端部が重なった状態で相互に上下へ回動する。図5(a) に示すように、クリンチ装置21へ進入したステープルSの脚bは、左右のクリンチャ22の傾斜している上面に当たってそれぞれ内側へ斜めに曲がり、この状態からクリンチャ22が上昇駆動されてステープルSの脚bを水平に折り曲げる。これにより、ステープルSの左右の脚bは平行に接した形状に折り曲げられる
【００１８】
図6は、図4のA-A線断面を示し、ステープルSの脚bは内側に曲げられたときに、ガイド斜面25から完全に出て、前後を二枚のクリンチャホルダ23によって挟まれて前後移動不能の状態となっている。したがって、ステープルSの脚bが完全に折り曲げられたときまで、ステープルSが前後に倒れたり、脚bの折り曲げ方向がずれて脚bが重なったり開いたりすることがない。
【００１９】
尚、この発明は上記の実施形態に限定するものではなく、この発明の技術的範囲内において種々の改変が可能であり、この発明がそれらの改変されたものに及ぶことは当然である。
【図面の簡単な説明】
【００２０】
【図１】本発明の実施の一形態を示し、クリンチ装置の分解図。
【図２】本発明のクリンチ装置の斜視図。
【図３】(a) は本発明のクリンチ装置の誘導斜面の詳細図、(b) は従来のクリンチ装置の誘導斜面の詳細図である。
【図４】クリンチ装置に対するステープルの位置関係を示す平面解説図。
【図５】(a) はクリンチ装置の工程解説図、（b）はクリンチャホルダとクリンチャの斜視図。
【図６】クリンチ装置のステープル折り曲げ工程を示し、図4のA-A線矢視断面図。
【図７】電動ステープラの斜視図。
【図８】従来例を示し、クリンチ装置の分解図。
【図９】従来例を示し、クリンチ装置に対するステープルの位置関係を示す平面解説図。
【図１０】従来のクリンチ装置のステープル折り曲げ工程を示し、図9のA-A線矢視断面図。
【符号の説明】
【００２１】
21     クリンチ装置
22     クリンチャ
23     クリンチャホルダ
24     クリンチャテーブル
25     ガイド斜面
26     前面垂直面部
S      ステープル
a      （ステープルの）クラウン部
b      （ステープルの）脚
【図１】
2006116638.tif 000003
【図２】
2006116638.tif 000004
【図３】
2006116638.tif 000005
【図４】
2006116638.tif 000006
【図５】
2006116638.tif 000007
【図６】
2006116638.tif 000008
【図７】
2006116638.tif 000009
【図８】
2006116638.tif 000010
【図９】
2006116638.tif 000011
【図１０】
2006116638.tif 000012